(57)【要約】      （修正有）【課題】整髪中に整髪具から抜け落ちたり、整髪具の歯の根元から浮いてしまいにくく、また、破れにくい整髪後の塵埃を除去するための整髪具用板材及び整髪具用板材を装着可能な整髪具を提供する。【解決手段】整髪具の胴体部の歯４４が植樹されている範囲より広い面積を有する薄板の樹脂材で、歯の根元の太さと略同径で歯が貫通する歯通孔が穿設された整髪具用板材本体１０からなる。整髪具用板材本体が、弾性を有する樹脂材で、整髪具の歯が歯通孔を貫通した後、歯通孔が収縮して歯に密着するのが好ましい。【選択図】図１
0003189372.tif 000002
【実用新案登録請求の範囲】
【請求項１】
整髪具の歯の根元に装着して、整髪後の塵埃を該整髪具から除去するための整髪具用板材において、
該整髪具の胴体部の歯が植樹されている範囲より広い面積を有する薄板の樹脂材で、該歯の根元の太さと略同径で該歯が貫通する歯通孔が穿設された整髪具用板材本体からなることを特徴とする整髪具用板材。
【請求項２】
前記整髪具用板材本体が、弾性を有する樹脂材で、前記整髪具の歯が前記歯通孔を貫通した後、該歯通孔が収縮して該歯に密着することを特徴とする請求項１記載の整髪具用板材。
【請求項３】
前記整髪具用板材本体が、その側方で下方に向かって突出すると共に前記整髪具の胴体部の側方に穿設された係止溝又は該胴体部の側方から突出する係止片に嵌合可能な係止鍔を有することを特徴とする請求項１又は請求項２記載の整髪具用板材。
【請求項４】
胴体部の上面に植樹された歯の根元の全体に装着して整髪後の塵埃を除去するための板状の整髪具用板材を装着可能な整髪具において、
該胴体部の側方に穿設された係止溝又は該胴体部の側方から突出する係止片を有し、請求項３記載の整髪具用板材の係止鍔を係止可能なことを特徴とする整髪具。
【考案の詳細な説明】
【技術分野】
【０００１】
本考案は、整髪具の歯の根元に装着して、整髪後の塵埃を整髪具から除去するための整髪具用板材及び整髪具用板材を装着可能な整髪具に関する。
【背景技術】
【０００２】
従来より、櫛やヘアブラシ等の整髪具の使用後の汚れを除去しやすくする目的で、整髪具の歯の根元に装着して、整髪後の塵埃を一体で整髪具から除去するためのシート状の整髪シートが提案されている。
【０００３】
例えば、特許文献１に示されるような整髪シート（整髪具用シート）がある。特許文献１における整髪シートは、ヘアブラシの剛毛に被せて使用されるもので、整髪シートの表面に紙材料から成る拾集基材を設け、その裏面にプラスチックシート材料から成る支持基材を張り合わせたものである。そして、拾集基材と支持基材を貫通して、ヘアブラシの剛毛が挿通する挿通孔が設けられている。
【先行技術文献】
【特許文献】
【０００４】
【特許文献１】特開平０７−２２７３１９号公報
【考案の概要】
【考案が解決しようとする課題】
【０００５】
しかしながら、従来の整髪シートは、紙状で、整髪中に整髪具から抜け落ちたり、整髪具の歯の根元から浮いてしまい、整髪しにくい上、場合によっては整髪シートが整髪中に破れるという問題があった。
【０００６】
本考案は、このような事情に鑑みてなされたもので、整髪中に整髪具から抜け落ちたり、整髪具の歯の根元から浮いてしまいにくく、また、破れにくい整髪具用板材及び整髪具用板材を装着可能な整髪具を提供することにある。
【課題を解決するための手段】
【０００７】
請求項１記載の整髪具用板材は、整髪具の胴体部の歯が植樹されている範囲より広い面積を有する薄板の樹脂材で、歯の根元の太さと略同径で歯が貫通する歯通孔が穿設された整髪具用板材本体からなることを特徴とする。
【０００８】
請求項２記載の整髪具用板材は、整髪具用板材本体が、弾性を有する樹脂材で、整髪具の歯が歯通孔を貫通した後、歯通孔が収縮して歯に密着することを特徴とする。
【０００９】
請求項３記載の整髪具用板材は、整髪具用板材本体が、その側方で下方に向かって突出すると共に整髪具の胴体部の側方に穿設された係止溝又は胴体部の側方から突出する係止片に嵌合可能な係止鍔を有することを特徴とする。
【００１０】
請求項４記載の整髪具は、胴体部の側方に穿設された係止溝又は胴体部の側方から突出する係止片を有し、請求項３記載の整髪具用板材の係止鍔を係止可能なことを特徴とする。
【考案の効果】
【００１１】
本願の考案によれば、整髪具用板材が、歯の根元の太さと略同径で歯が貫通する歯通孔が穿設された整髪具用板材本体からなり、整髪具用板材本体が、整髪中に整髪具から抜け落ちたり、整髪具の歯の根元から浮いてしまいにくく、また、破れにくい。
【図面の簡単な説明】
【００１２】
【図１】本考案に係る整髪具用板材の使用方法の一例を示す説明図である。
【図２】同整髪具用板材の使用方法を示す説明図である。
【図３】同整髪具用板材を示す説明図である。
【図４】本考案に係る整髪具用板材の他の例を示す説明図である。
【図５】本考案に係る整髪具用板材のさらに他の例を示す説明図である。
【考案を実施するための形態】
【００１３】
以下、本発明の形態について図面を参照しながら具体的に説明する。図１は、本考案に係る整髪具用板材の使用方法の一例を示す説明図である。図２は、同整髪具用板材の使用方法を示す説明図である。図３は、同整髪具用板材を示す説明図である。
【００１４】
図１〜図３における整髪具用板材１は、整髪具である櫛４０やヘアブラシ等の使用後の汚れを除去しやすくする目的で、櫛４０の胴体部４２の歯４４の根元に装着して、整髪後の塵埃を一体で櫛４０から除去するためのものである。尚、整髪具用板材１が装着できる整髪具としては、本実施の形態で説明する櫛４０に限られるものではなく、例えばヘアブラシ等がある。
【００１５】
整髪具用板材１は、櫛４０の胴体部４２の歯４４が植樹されている範囲より広い面積を有する薄板の樹脂材で、歯４４の根元の太さと略同径で歯４４が貫通する歯通孔１２が穿設された整髪具用板材本体１０からなる。すなわち、整髪具の一例である櫛４０の歯４４の根元を覆い隠すことが可能な形状である。尚、歯通孔１２の孔の数は、歯４４の数の分だけ穿設されていても良い。
【００１６】
また、整髪具用板材１の材質として合成樹脂が考えられるが、硬い樹脂材料を用いることも可能であるが、弾性（弾力）を有する樹脂材で、櫛４０の歯４４が歯通孔１２を貫通した後、歯通孔１２が収縮して歯４４に密着するような性質を有するものを用いることも可能である。
【００１７】
次に、本実施の形態における整髪具用板材１の使用方法を説明する。整髪具用板材１を、櫛４０の胴体部４２の歯４４が歯通孔１２に通るように配置しつつ、櫛４０の胴体部４２に嵌め込んでいく。整髪具用板材１が、胴体部４２の歯４４の根元に固定されたところで、装着されたことになる。整髪具用板材１が、櫛４０に固定された状態で、整髪を行うようにする。
【００１８】
整髪が終わり整髪具用板材１を胴体部４２の歯４４から抜き取るようにすることで、整髪後の塵埃を一体で櫛４０から除去することができる。
【００１９】
以上のような整髪具用板材１によれば、歯４４の根元の太さと略同径で歯４４が貫通する歯通孔１２が穿設された整髪具用板材本体１０からなり、整髪具用板材本体１０が、整髪中に櫛４０から抜け落ちたり、歯４４の根元から浮いてしまいにくく、また、破れにくい。
【００２０】
さらに、整髪具用板材本体１０を、歯４４が歯通孔１２を貫通した後、歯通孔１２が収縮して歯４４に密着するような弾性を有する樹脂材で形成することで、より確実に整髪具用板材１を櫛４０に固定することができる。
【００２１】
尚、上述の整髪具用板材本体１０は、平坦な板材であるが、整髪時に櫛４０の胴体部４２から抜け落ちたり、浮いたりしにくくするための方法として、図４や図５に示す構造がある。図４は、本考案に係る整髪具用板材の他の例を示す説明図である。図５は、本考案に係る整髪具用板材のさらに他の例を示す説明図である。
【００２２】
図４の整髪具用板材２は、整髪具用板材本体２０自体は上述の整髪具用板材１の整髪具用板材本体１０と同様な構造であるが、整髪具用板材本体２０の側方に、下方に向かって突出する係止鍔２４を備えている。そして、係止鍔２４の裏側には、整髪具用板材本体２０の内側に向かって係止突起２６が突出している。この係止鍔２４及び係止突起２６は、後述する櫛５０の胴体部５２の長手方向に沿って伸びている。
【００２３】
図４の整髪具である櫛５０は、図１の櫛４０とほぼ同様な形状をしているが、胴体部５２の側方に、胴体部５２の長手方向に沿って係止片５６が突出している。
【００２４】
そして、整髪具用板材２を櫛５０に装着する時は、整髪具用板材２を、櫛５０の胴体部５２の歯５４が歯通孔２２に通るように配置しつつ、櫛５０の胴体部５２に嵌め込んでいく。整髪具用板材２が、胴体部５２の歯５４の根元に固定されたところで、整髪具用板材本体２０の係止鍔２４の係止突起２６が、櫛５０の胴体部５２の係止片５６に嵌合し、整髪具用板材２が櫛５０に装着される。整髪が終わり整髪具用板材本体２０の係止鍔２４を外側に押し広げるようなイメージで、整髪具用板材本体２０を胴体部５２の歯５４から抜き取るようにすることで、整髪後の塵埃を一体で櫛５０から除去することができる。
【００２５】
また、図５の整髪具用板材３は、整髪具用板材本体３０自体は上述の整髪具用板材１の整髪具用板材本体１０と同様な構造であるが、整髪具用板材本体３０の側方に、下方に向かって突出する係止鍔３４を備えている。この係止鍔３４は、後述する櫛６０の胴体部６２の長手方向に沿って伸びている。
【００２６】
図５の整髪具である櫛６０は、図１の櫛４０とほぼ同様な形状をしているが、胴体部６２の側方に、胴体部６２の長手方向に沿って係止溝６６が穿設されている。
【００２７】
そして、整髪具用板材３を櫛６０に装着する時は、整髪具用板材３を、櫛６０の胴体部６２の歯６４が歯通孔３２に通るように配置しつつ、櫛６０の胴体部６２に嵌め込んでいく。整髪具用板材３が、胴体部６２の歯６４の根元に固定されたところで、整髪具用板材本体３０の係止鍔３４の端部が、櫛６０の胴体部６２の係止溝６６に嵌まり込んで嵌合し、整髪具用板材３が櫛６０に装着される。整髪が終わり整髪具用板材本体３０の係止鍔３４を外側に押し広げるようなイメージで、整髪具用板材本体３０を胴体部６２の歯６４から抜き取るようにすることで、整髪後の塵埃を一体で櫛６０から除去することができる。
【００２８】
このように、図４に示す整髪具用板材２と整髪具５０との組み合わせ、及び図５に示す整髪具用板材３と整髪具６０との組み合わせによれば、整髪中に整髪具用板材２，３が整髪具から抜け落ちたり、整髪具の歯の根元から浮いてしまうことを防止することができる。尚、整髪具用板材２，３の係止鍔２４，３４は、必ずしも櫛５０，６０の胴体部５２，６２に沿って長く伸びる必要はなく、胴体部５２，６２に嵌合可能な長さであればよい。
【産業上の利用可能性】
【００２９】
本考案により、整髪中に整髪具から抜け落ちたり、整髪具の歯の根元から浮いてしまいにくく、また、破れにくい整髪具用板材及び整髪具用板材を装着可能な整髪具を提供することができる。
【符号の説明】
【００３０】
１・・・・整髪具用板材
２・・・・整髪具用板材
３・・・・整髪具用板材
１０・・・整髪具用板材本体
１２・・・歯通孔
２０・・・整髪具用板材本体
２２・・・歯通孔
２４・・・係止鍔
２６・・・係止突起
３０・・・整髪具用板材本体
３２・・・歯通孔
３４・・・係止鍔
４０・・・櫛
４２・・・胴体部
４４・・・歯
５０・・・櫛
５２・・・胴体部
５４・・・歯
５６・・・係止片
６０・・・櫛
６２・・・胴体部
６４・・・歯
６６・・・係止溝
【図１】
0003189372.tif 000003
【図２】
0003189372.tif 000004
【図３】
0003189372.tif 000005
【図４】
0003189372.tif 000006
【図５】
0003189372.tif 000007
【手続補正書】
【提出日】平成25年12月26日(2013.12.26)
【手続補正１】
【補正対象書類名】明細書
【補正対象項目名】００１０
【補正方法】変更
【補正の内容】
【００１０】
請求項４記載の整髪具は、係止鍔を係止可能な、胴体部の側方に穿設された係止溝又は胴体部の側方から突出する係止片を有することを特徴とする。
【手続補正２】
【補正対象書類名】実用新案登録請求の範囲
【補正対象項目名】請求項４
【補正方法】変更
【補正の内容】
【請求項４】
請求項３記載の整髪具用板材を、胴体部の上面に植樹された歯の根元の全体に装着可能な整髪具において、
前記係止鍔を係止可能な、該胴体部の側方に穿設された係止溝又は該胴体部の側方から突出する係止片を有することを特徴とする整髪具。